(57)【要約】【課題】非接触ＩＣチップを用いてサービスを受ける場合に使用するデータを適切に保存できる携帯端末を提供する。【解決手段】携帯端末１の制御部１３は、ＮＦＣチップ（非接触ＩＣチップ）１２を利用するアプリケーションソフトウェアが用いるデータをＳＩＭカード１１に記憶させる。また、ＳＩＭカード１３には、アプリケーションソフトウェア毎に専用の記憶領域が確保され、その記憶領域にデータを記憶させる。ＳＩＭカード１１が他の携帯端末に移し替えられた場合、新たな携帯端末は、ＳＩＭカード１１に確保されている記憶領域に対応するアプリケーションソフトウェアをダウンロードする。【選択図】図３
2008294976.tif 000002
【特許請求の範囲】
【請求項１】
非接触ＩＣチップと、
着脱可能なＳＩＭカードと、
ダウンロードしたアプリケーションソフトウェアを記憶するアプリケーション記憶手段と、
非接触ＩＣチップを利用するアプリケーションソフトウェアが用いるデータをＳＩＭカードに記憶させるデータ書き込み手段とを備え、
データ書き込み手段は、新たなアプリケーションソフトウェアがダウンロードされるときに、前記アプリケーションソフトウェアの識別情報をＳＩＭカードに記憶させる
ことを特徴とする携帯端末。
【請求項２】
アプリケーションソフトウェアの識別情報が記憶されたＳＩＭカードが装着されたときに、前記識別情報が表すアプリケーションソフトウェアを、当該アプリケーションソフトウェアを提供する装置に要求し、当該装置から前記アプリケーションソフトウェアを受信することによってアプリケーションをダウンロードするダウンロード手段を備え、
ダウンロード手段は、ＤＭプロトコルに従って、前記装置にアプリケーションソフトウェアを要求し、前記装置からアプリケーションソフトウェアを受信する
請求項１に記載の携帯端末。
【請求項３】
無線基地局を含む通信ネットワークに接続された携帯端末管理システムに対して、新たなアプリケーションソフトウェアの利用を求める旨の情報であるサービス利用要求情報を送信するサービス利用要求手段と、
携帯端末管理システムから前記アプリケーションソフトウェアの専用の記憶領域をＳＩＭカードに確保する旨の命令を受信したときに、当該命令に従って前記アプリケーションソフトウェアの専用の記憶領域をＳＩＭカードに確保する記憶領域確保手段とを備え、
サービス利用要求手段は、前記無線基地局を介して、携帯端末管理システムにサービス利用要求情報を送信し、
記憶領域確保手段は、前記無線基地局を介して、携帯端末管理システムから前記命令を受信する
請求項１または請求項２に記載の携帯端末。
【請求項４】
携帯端末管理システムに対して、アプリケーションソフトウェアの専用の記憶領域の解放要求を送信する記憶領域解放要求手段と、
携帯端末管理システムから、前記記憶領域の解放許可を受信したときに、前記記憶領域を解放する記憶領域解放手段とを備え、
記憶領域解放要求手段は、無線基地局を介して、携帯端末管理システムに前記記憶領域の解放要求を送信し、
記憶領域解放手段は、無線基地局を介して、携帯端末管理システムから前記解放許可を受信する
請求項３に記載の携帯端末。
【請求項５】
記憶領域確保手段は、携帯端末管理システムから、アプリケーションソフトウェア毎に一意に定められた認証データを受信し、アプリケーションソフトウェアの専用の記憶領域に当該アプリケーションソフトウェアに定められた認証データを記憶させ、
データ書き込み手段は、非接触ＩＣチップを介して、一のアプリケーションソフトウェアに対応する記憶領域のデータ書き換え命令を受信した場合、データ書き換え命令とともに、前記記憶領域に記憶されている認証データに合致する認証データを受信したならば前記データ書き換え命令に従ってデータを書き換え、データ書き換え命令とともに、前記記憶領域に記憶されている認証データに合致する認証データを受信していないならばデータの書き換えを行わない
請求項３または請求項４に記載の携帯端末。
【請求項６】
無線基地局を介して一のアプリケーションソフトウェアに対応する記憶領域のデータ書き換え命令を受信する無線通信手段を備え、
データ書き込み手段は、無線通信手段を介して、一のアプリケーションソフトウェアに対応する記憶領域のデータ書き換え命令を受信した場合、データ書き換え命令とともに、前記記憶領域に記憶されている認証データに合致する認証データを受信したならば前記データ書き換え命令に従ってデータを書き換え、データ書き換え命令とともに、前記記憶領域に記憶されている認証データに合致する認証データを受信していないならばデータの書き換えを行わない
請求項５に記載の携帯端末。
【請求項７】
非接触ＩＣチップを備えた携帯端末に装着されるＳＩＭカードであって、非接触ＩＣチップを利用するアプリケーションソフトウェアが用いるデータを記憶するための記憶領域が確保されるＳＩＭカードを管理する携帯端末管理システムであって、
ＳＩＭカードに定められたＩＤと、前記ＳＩＭカードに記憶領域が確保されているアプリケーションソフトウェアの識別情報とを対応付けたデータベースであるユーザマネジメントデータベースを記憶するユーザマネジメントデータベース記憶手段と、
携帯端末から、ＳＩＭカードに定められたＩＤと、新たなアプリケーションソフトウェアの利用を求める旨の情報であるサービス利用要求情報を受信した場合に、前記ＳＩＭカードに定められたＩＤと、前記アプリケーションソフトウェアの識別情報とを対応付けてユーザマネジメントデータベースに登録するユーザマネジメントデータベース管理手段と、
前記アプリケーションソフトウェアの専用の記憶領域をＳＩＭカードに確保する旨の命令を前記携帯端末に送信する確保命令送信手段とを備えた
ことを特徴とする携帯端末管理システム。
【請求項８】
携帯端末から、ＳＩＭカードに確保しているアプリケーションソフトウェアの専用の記憶領域の解放要求を受信した場合に、前記記憶領域の解放許可を前記携帯端末に送信する解放許可送信手段を備え、
ユーザマネジメントデータベース管理手段は、携帯端末から、ＳＩＭカードに確保しているアプリケーションソフトウェアの専用の記憶領域の解放要求を受信すると、前記ＳＩＭカードに定められたＩＤに対応付けられた前記アプリケーションソフトウェアの識別情報をユーザマネジメントデータベースから削除する
請求項７に記載の携帯端末管理システム。
【請求項９】
携帯端末にアプリケーションソフトウェアを提供するアプリケーション提供装置に対して、アプリケーション提供装置が提供するアプリケーションに固有の認証データを作成して送信する認証データ作成手段を備え、
確保命令送信手段は、アプリケーションソフトウェアの専用の記憶領域をＳＩＭカードに確保する旨の命令とともに、前記アプリケーションソフトウェアに固有の認証データを送信する
請求項７または請求項８に記載の携帯端末管理システム。
【請求項１０】
アプリケーションソフトウェアの識別情報と、当該アプリケーションソフトウェアの専用の記憶領域として確保すべき記憶容量とを対応付けたデータベースである領域管理データベースを記憶する領域管理データベース記憶手段を備え、
携帯端末から、ＳＩＭカードに定められたＩＤと、新たなアプリケーションソフトウェアの利用を求める旨の情報であるサービス利用要求情報を受信した場合に、ユーザマネジメントデータベースおよび領域管理データベースを参照して、ＳＩＭカードに空き容量があるか否かを判定する空き容量判定手段を備え、
ユーザマネジメントデータベース管理手段は、空き容量があると判定された場合に、ＳＩＭカードに定められたＩＤと、前記新たなアプリケーションソフトウェアの識別情報とを対応付けてユーザマネジメントデータベースに登録し、
確保命令送信手段は、空き容量があると判定された場合に、前記新たなアプリケーションソフトウェアの専用の記憶領域をＳＩＭカードに確保する旨の命令を携帯端末に送信する
請求項７から請求項９のうちのいずれか１項に記載された携帯端末管理システム。
【請求項１１】
携帯端末に対してアプリケーションソフトウェアが使用するデータのデータ書き換え命令を送信する装置と、携帯端末との間でゲートウェイとして用いられる
請求項７から請求項１０のうちのいずれか１項に記載された携帯端末管理システム。
【請求項１２】
非接触ＩＣチップと、着脱可能なＳＩＭカードと、ダウンロードしたアプリケーションソフトウェアを記憶するアプリケーション記憶手段とを備えた携帯端末に適用されるデータ保存方法であって、
非接触ＩＣチップを利用するアプリケーションソフトウェアが用いるデータをＳＩＭカードに記憶させ、
新たなアプリケーションソフトウェアがダウンロードされるときに、前記アプリケーションソフトウェアの識別情報をＳＩＭカードに記憶させる
ことを特徴とするデータ保存方法。
【請求項１３】
無線基地局を含む通信ネットワークに接続された携帯端末管理システムに対して、無線基地局を介して、新たなアプリケーションソフトウェアの利用を求める旨の情報であるサービス利用要求情報を送信し、
携帯端末管理システムから前記アプリケーションソフトウェアの専用の記憶領域をＳＩＭカードに確保する旨の命令を、無線基地局を介して、受信したときに、当該命令に従って前記アプリケーションソフトウェアの専用の記憶領域をＳＩＭカードに確保する
請求項１２に記載のデータ保存方法。
【請求項１４】
非接触ＩＣチップを備えた携帯端末に装着されて非接触ＩＣチップを利用するアプリケーションソフトウェアが用いるデータを記憶するための記憶領域が確保されるＳＩＭカードを管理する携帯端末管理システムであって、ＳＩＭカードに定められたＩＤと、前記ＳＩＭカードに記憶領域が確保されているアプリケーションソフトウェアの識別情報とを対応付けたデータベースであるユーザマネジメントデータベースを記憶するユーザマネジメントデータベース記憶手段を備えた携帯端末管理システムに適用される携帯端末管理方法であって、
携帯端末から、ＳＩＭカードに定められたＩＤと、新たなアプリケーションソフトウェアの利用を求める旨の情報であるサービス利用要求情報を受信した場合に、前記ＳＩＭカードに定められたＩＤと、前記アプリケーションソフトウェアの識別情報とを対応付けてユーザマネジメントデータベースに登録し、
前記アプリケーションソフトウェアの専用の記憶領域をＳＩＭカードに確保する旨の命令を前記携帯端末に送信する
ことを特徴とする携帯端末管理方法。
【請求項１５】
携帯端末から、ＳＩＭカードに確保しているアプリケーションソフトウェアの専用の記憶領域の解放要求を受信した場合に、前記記憶領域の解放許可を前記携帯端末に送信し、
携帯端末から、ＳＩＭカードに確保しているアプリケーションソフトウェアの専用の記憶領域の解放要求を受信すると、前記ＳＩＭカードに定められたＩＤに対応付けられた前記アプリケーションソフトウェアの識別情報をユーザマネジメントデータベースから削除する
請求項１４に記載の携帯端末管理方法。
【請求項１６】
非接触ＩＣチップを備えた携帯端末に装着されて非接触ＩＣチップを利用するアプリケーションソフトウェアが用いるデータを記憶するための記憶領域が確保されるＳＩＭカードを管理するコンピュータであって、ＳＩＭカードに定められたＩＤと、前記ＳＩＭカードに記憶領域が確保されているアプリケーションソフトウェアの識別情報とを対応付けたデータベースであるユーザマネジメントデータベースを記憶するユーザマネジメントデータベース記憶手段を備えたコンピュータに搭載される携帯端末管理プログラムにおいて、
前記コンピュータに、
携帯端末から、ＳＩＭカードに定められたＩＤと、新たなアプリケーションソフトウェアの利用を求める旨の情報であるサービス利用要求情報を受信した場合に、前記ＳＩＭカードに定められたＩＤと、前記アプリケーションソフトウェアの識別情報とを対応付けてユーザマネジメントデータベースに登録するユーザマネジメントデータベース管理処理、および
前記アプリケーションソフトウェアの専用の記憶領域をＳＩＭカードに確保する旨の命令を前記携帯端末に送信する確保命令送信処理
を実行させるための携帯端末管理プログラム。
【請求項１７】
コンピュータに、
携帯端末から、ＳＩＭカードに確保しているアプリケーションソフトウェアの専用の記憶領域の解放要求を受信した場合に、前記記憶領域の解放許可を前記携帯端末に送信する解放許可送信処理、および
携帯端末から、ＳＩＭカードに確保しているアプリケーションソフトウェアの専用の記憶領域の解放要求を受信すると、前記ＳＩＭカードに定められたＩＤに対応付けられた前記アプリケーションソフトウェアの識別情報をユーザマネジメントデータベースから削除するデータ削除処理
を実行させる請求項１６に記載の携帯端末管理プログラム。
【発明の詳細な説明】
【技術分野】
【０００１】
本発明は、携帯端末、携帯端末管理システム、データ保存方法、携帯端末管理方法および携帯端末管理プログラムに関する。
【背景技術】
【０００２】
携帯電話機等の携帯端末が非接触ＩＣチップを備え、携帯端末がその非接触ＩＣチップを介して外部の装置とデータを送受信することによって、携帯端末の利用者がサービスを享受する場合がある。例えば、非接触ＩＣチップを介して携帯電話機に記憶された電子マネーの残額を更新することによって、ショッピングを行えるようにした携帯電話機がある。また、携帯電話機が非接触ＩＣチップを介して乗車券データを受信し、その携帯電話機を乗車券として利用する利用態様もある。非接触ＩＣチップを用いた短距離無線通信規格の例としてＮＦＣ（Near Field Communication）がある。ＮＦＣにより無線通信を行う非接触ＩＣチップをＮＦＣチップと記す。欧米では、ＮＦＣチップを搭載した携帯電話機の非接触ＩＣサービストライアルが行われている。
【０００３】
また、特許文献１には、移動体端末の交換時において、加入者情報を記憶するＵＩＭを新規な移動体端末に装着または内蔵させてその移動体端末を利用可能とすることが記載されている。そして、そのＵＩＭにプログラムを配信するシステムが記載されている。
【０００４】
特許文献２には、ＵＩＭにユーザの秘密鍵および暗号化プログラムを格納し、電子バリューの安全性を向上させることができる携帯端末が記載されている。
【０００５】
特許文献３には、ＵＩＭが別の携帯電話機に装着された場合に、ＵＩＭの所有者が使用する権利を有するコンテンツのうち、携帯電話機に格納されていないコンテンツを自動的にダウンロードするシステムが記載されている。
【０００６】
【特許文献１】国際公開第ＷＯ２００２／０６１５７２号
【特許文献２】特開２００４−９４５３９号公報（段落００１５，００１６）
【特許文献３】特開２００４−１５３４６１号公報（段落００４０−００４８）
【発明の開示】
【発明が解決しようとする課題】
【０００７】
ＮＦＣチップはＲＦ（Radio Frequency ）部分、すなわち非接触通信部分としての機能を有している。しかし、携帯端末がダウンロードしたアプリケーションソフトウェアを記憶する領域であるアプリケーション領域や、そのアプリケーションソフトウェアに従って動作する携帯端末が使用するデータ（例えば電子マネーのデータ）を記憶するデータ格納領域は、ＮＦＣチップに含まれていない。
【０００８】
携帯端末の使用者がＮＦＣ等の非接触ＩＣチップを用いてサービスを受ける場合に使用するデータは、電子マネー、電子乗車券等の使用者の財産となるデータであることが多い。そのため、非接触ＩＣチップを用いてサービスを受ける場合に使用するデータの重要性は、携帯端末が非接触ＩＣチップを用いない処理の実行時に使用するデータに比べて、非常に大きい。このようなデータを携帯端末自身が備える記憶装置に記憶させておくとすると、携帯端末を交換したときに、新たな携帯端末にデータを移し替えにくい。そのため、非接触ＩＣチップを用いてサービスを受ける場合に使用するデータを適切に保存できるようにすることが好ましい。
【０００９】
また、ＮＦＣ等の非接触ＩＣチップを利用するサービスの種類の追加や削除を、携帯機器の無線通信機能（無線基地局および通信ネットワークを介した通信機能）を利用した通信によって行うことができない。
【００１０】
そこで、本発明は、非接触ＩＣチップを用いてサービスを受ける場合に使用するデータを適切に保存できるようにすることを目的とする。
【課題を解決するための手段】
【００１１】
本発明の携帯端末は、非接触ＩＣチップと、着脱可能なＳＩＭカードと、ダウンロードしたアプリケーションソフトウェアを記憶するアプリケーション記憶手段と、非接触ＩＣチップを利用するアプリケーションソフトウェアが用いるデータをＳＩＭカードに記憶させるデータ書き込み手段とを備え、データ書き込み手段が、新たなアプリケーションソフトウェアがダウンロードされるときに、前記アプリケーションソフトウェアの識別情報をＳＩＭカードに記憶させることを特徴とする。
【００１２】
また、本発明の携帯端末管理システムは、非接触ＩＣチップを備えた携帯端末に装着されるＳＩＭカードであって、非接触ＩＣチップを利用するアプリケーションソフトウェアが用いるデータを記憶するための記憶領域が確保されるＳＩＭカードを管理する携帯端末管理システムであって、ＳＩＭカードに定められたＩＤと、前記ＳＩＭカードに記憶領域が確保されているアプリケーションソフトウェアの識別情報とを対応付けたデータベースであるユーザマネジメントデータベースを記憶するユーザマネジメントデータベース記憶手段と、携帯端末から、ＳＩＭカードに定められたＩＤと、新たなアプリケーションソフトウェアの利用を求める旨の情報であるサービス利用要求情報を受信した場合に、前記ＳＩＭカードに定められたＩＤと、前記アプリケーションソフトウェアの識別情報とを対応付けてユーザマネジメントデータベースに登録するユーザマネジメントデータベース管理手段と、前記アプリケーションソフトウェアの専用の記憶領域をＳＩＭカードに確保する旨の命令を前記携帯端末に送信する確保命令送信手段とを備えたことを特徴とする。
【００１３】
また、本発明のデータ保存方法は、非接触ＩＣチップと、着脱可能なＳＩＭカードと、ダウンロードしたアプリケーションソフトウェアを記憶するアプリケーション記憶手段とを備えた携帯端末に適用されるデータ保存方法であって、非接触ＩＣチップを利用するアプリケーションソフトウェアが用いるデータをＳＩＭカードに記憶させ、新たなアプリケーションソフトウェアがダウンロードされるときに、前記アプリケーションソフトウェアの識別情報をＳＩＭカードに記憶させることを特徴とする。
【００１４】
また、本発明の携帯端末管理方法は、非接触ＩＣチップを備えた携帯端末に装着されて非接触ＩＣチップを利用するアプリケーションソフトウェアが用いるデータを記憶するための記憶領域が確保されるＳＩＭカードを管理する携帯端末管理システムであって、ＳＩＭカードに定められたＩＤと、前記ＳＩＭカードに記憶領域が確保されているアプリケーションソフトウェアの識別情報とを対応付けたデータベースであるユーザマネジメントデータベースを記憶するユーザマネジメントデータベース記憶手段を備えた携帯端末管理システムに適用される携帯端末管理方法であって、携帯端末から、ＳＩＭカードに定められたＩＤと、新たなアプリケーションソフトウェアの利用を求める旨の情報であるサービス利用要求情報を受信した場合に、前記ＳＩＭカードに定められたＩＤと、前記アプリケーションソフトウェアの識別情報とを対応付けてユーザマネジメントデータベースに登録し、前記アプリケーションソフトウェアの専用の記憶領域をＳＩＭカードに確保する旨の命令を前記携帯端末に送信することを特徴とする。
【００１５】
また、本発明の携帯端末管理プログラムは、非接触ＩＣチップを備えた携帯端末に装着されて非接触ＩＣチップを利用するアプリケーションソフトウェアが用いるデータを記憶するための記憶領域が確保されるＳＩＭカードを管理するコンピュータであって、ＳＩＭカードに定められたＩＤと、前記ＳＩＭカードに記憶領域が確保されているアプリケーションソフトウェアの識別情報とを対応付けたデータベースであるユーザマネジメントデータベースを記憶するユーザマネジメントデータベース記憶手段を備えたコンピュータに搭載される携帯端末管理プログラムにおいて、前記コンピュータに、携帯端末から、ＳＩＭカードに定められたＩＤと、新たなアプリケーションソフトウェアの利用を求める旨の情報であるサービス利用要求情報を受信した場合に、前記ＳＩＭカードに定められたＩＤと、前記アプリケーションソフトウェアの識別情報とを対応付けてユーザマネジメントデータベースに登録するユーザマネジメントデータベース管理処理、および前記アプリケーションソフトウェアの専用の記憶領域をＳＩＭカードに確保する旨の命令を前記携帯端末に送信する確保命令送信処理を実行させることを特徴とする。
【発明の効果】
【００１６】
本発明によれば、非接触ＩＣチップを用いてサービスを受ける場合に使用するデータを適切に保存することができる。
【発明を実施するための最良の形態】
【００１７】
以下、本発明の実施例を図面を参照して説明する。
図１は、本発明の携帯端末や携帯端末管理システムが通信ネットワークを介して接続されている状態を示す説明図である。本発明の携帯端末１と携帯端末管理システム２０とは、通信ネットワーク４０を介して接続され、情報の送受信を行うことができる。通信ネットワーク４０には、サービスプロバイダが所有するサービスプロバイダシステム（以下、ＳＰシステムと記す。）３０も接続される。
【００１８】
通信ネットワーク４０には、携帯端末１と無線通信を行う無線基地局（図示せず。）が設けられる。携帯端末１は、通信ネットワーク４０に設けられた無線基地局（図示せず。）と無線通信を行い、通信ネットワーク４０を介して、他の装置と情報の送受信を行う。この携帯端末１の通信機能は、エアネットワーク機能と称される場合がある。
【００１９】
以下、携帯端末１が携帯電話機である場合を例にして説明するが、携帯端末１は携帯電話機に限定されず、電話機以外の携帯端末であってもよい。
【００２０】
ＳＰシステム３０は、携帯電話機１からのアプリケーションソフトウェアのダウンロード要求に応じて、そのアプリケーションソフトウェアを携帯電話機１に送信する情報処理装置である。また、携帯電話機１がダウンロードしたアプリケーションソフトウェアに従って動作するときに、ＳＰシステム３０は、携帯電話機１と通信を行い、携帯電話機１が備えるＳＩＭカード１１内のデータを更新する。具体的には、ＳＩＭカード１１内のデータの書き換え命令を携帯電話機１に送信する。
【００２１】
携帯電話機１は、非接触ＩＣチップ１２と、ＳＩＭ（Subscriber identity module）カード１１とを備える。携帯電話機１は、アプリケーションソフトウェア（以下、単にアプリケーションと記す。）をＳＰシステム３０からダウンロードして、そのアプリケーションに従って、そのアプリケーションの種類に応じた処理を行う。例えば、電子マネーを増額（チャージ）するための処理や、電子マネーを使用するための処理を行う。非接触ＩＣチップ１２は、他の装置（例えば、リーダ／ライタ等）との通信インタフェースである。以下、携帯電話機１が非接触ＩＣチップ１２としてＮＦＣチップを備える場合を例にして説明するが、ＮＦＣチップは例示であり、非接触ＩＣチップ１２はＮＦＣチップに限定されない。
【００２２】
ＳＩＭカード１１は、携帯電話機（携帯端末）１に着脱可能であり、データを記憶することができるＩＣカードである。携帯電話機１は、ＮＦＣチップ１２を利用するアプリケーションソフトウェアが用いるデータをＳＩＭカード１１に記憶させる。例えば、携帯電話機１は、アプリケーションに従って動作して受信したデータをＳＩＭカード１１に記憶させたり、受信したデータに応じてＳＩＭカード１１に記憶しているデータを更新する。より具体的な例を挙げると、例えば、携帯電話機１が電子マネーを増額（チャージ）する場合、ＮＦＣチップ１２を介して電子マネーのデータを受信すると、携帯電話機１は、そのデータをＳＩＭカード１１に記憶させる。また、携帯電話機１の利用者が買い物を行う際に、ＮＦＣチップ１２を介して支払要求を受信すると、ＳＩＭカード１１に記憶されている電子マネーの残高から支払要求分の額を差し引いて、電子マネーの残高を更新する。ここでは、電子マネーのデータを例に説明したが、ＳＩＭカード１１に記憶されるデータは電子マネーのデータに限定されない。
【００２３】
また、携帯電話機１がアプリケーションをダウンロードしたとき、ＳＩＭカード１１にはそのアプリケーションの識別情報が記憶される。アプリケーションの識別情報として、例えばアプリケーションの名称を用いればよい。図２は、ＳＩＭカード１１が記憶するデータの例を示す説明図である。ＮＦＣチップ１２を利用するアプリケーションソフトウェアが用いるデータおよびアプリケーションの識別情報をアプリケーションデータと記す。ＳＩＭカード１１は、図２に示すように、アプリケーションデータ１７を記憶する。アプリケーションデータ１７は、対応するアプリケーションの種類によって異なる。アプリケーションデータ１７の例として、例えば、電子マネーデータ等が挙げられるが、アプリケーションデータはこれらのデータに限定されない。なお、ＳＩＭカード１１には、複数種類のアプリケーションのアプリケーションデータが記憶されていてもよい。また、ＳＩＭカード１１が記憶する情報は、アプリケーションデータに限られない。例えば、後述のエリアアクセス鍵もＳＩＭカード１１に記憶される。また、例えば、アプリケーションデータとともに、対応するアプリケーションのダウンロード先を示す情報（以下、単にアプリケーションのダウンロード先と記す。）がＳＩＭカード１１に記憶されてもよい。
【００２４】
次に説明するように、ＳＩＭカード１１にはアプリケーション毎に個々のアプリケーション専用の記憶領域が確保される。それぞれのアプリケーションに関するアプリケーションデータやエリアアクセス鍵は、そのアプリケーション専用の記憶領域に記憶される。
【００２５】
携帯端末管理システム２０は、携帯電話機１に装着されているＳＩＭカードを管理する。具体的には、新たなアプリケーションの利用を求める旨のサービス利用要求情報を携帯電話機１から受信した場合、その携帯電話機１のＳＩＭカード１１に、そのアプリケーション専用の記憶領域を確保させる。確保とは、それぞれのアプリケーションが専用に使用する記憶領域として設定することを意味する。
【００２６】
また、携帯端末管理システム２０は、そのアプリケーション専用の記憶領域にデータを記憶させたり、その記憶領域におけるデータを更新したりする際の認証用データを、アプリケーション毎に作成しておく。以下、この認証用データをエリアアクセス鍵と記す。携帯端末管理システム２０は、サービス利用要求情報に応じて、アプリケーション専用の記憶領域を確保させたならば、そのアプリケーション用のエリアアクセス鍵を携帯電話機１に送信し、アプリケーション専用の記憶領域にそのエリアアクセス鍵を記憶させる。また、アプリケーションを提供するＳＰシステム３０も、そのアプリケーション用のエリアアクセス鍵を携帯端末管理システム２０から受信し、保持しておく。そして、エリアアクセス鍵を保持しているＳＰシステム３０は、ＳＩＭカード１１に確保された記憶領域にアクセスできる。ただし、携帯端末管理システム２０は、各アプリケーション毎にエリアアクセス鍵を作成するので、ＳＰシステム３０は、自身が提供しているアプリケーション以外のアプリケーション用の記憶領域にアクセスすることはできない。例えば、他社（他のサービスプロバイダ）のＳＰシステムが提供しているアプリケーション用の記憶領域にアクセスすることはできない。
【００２７】
エリアアクセス鍵は、例えば、アプリケーション毎に一意に定められる文字列であるが、文字列以外のデータであってもよい。
【００２８】
また、携帯端末管理システム２０は、携帯電話機１がアプリケーションに従ってＳＩＭカード１１内のアプリケーションデータを更新する場合において、携帯電話機１とＳＰシステム３０との間のゲートウェイとして機能する。従って、携帯端末管理システム２０は、携帯電話機１がアプリケーションに従ってＳＩＭカード１１内のアプリケーションデータを更新する場合に、携帯電話機１とＳＰシステム３０との間でデータを中継する。
【００２９】
携帯電話機１は、個々のアプリケーションのアプリケーションデータ１７（図２参照）を、アプリケーションに対応するＳＩＭカード内の記憶領域に記憶する。
【００３０】
図３は、本発明の携帯端末（本例では携帯電話機）の構成例を示すブロック図である。携帯電話機１は、図１に示したＳＩＭカード１１と、非接触ＩＣチップ（本例ではＮＦＣチップ）１２の他に、さらに制御部１３と、記憶装置１４と、ネットワークインタフェース部１５とを備える。
【００３１】
制御部１３は、記憶装置１４に記憶される携帯端末用プログラムおよびダウンロードしたアプリケーションに従って動作する。制御部１３は、例えばＣＰＵによって実現される。制御部１３は、アプリケーションをダウンロードし、そのアプリケーションを記憶装置１４に記憶させる。また、制御部１３は、ダウンロードしたアプリケーションに従って、ＮＦＣチップ１２またはネットワークインタフェース部１５を介してＳＰシステム３０とデータを送受信し、受信したデータに応じて、そのアプリケーション用の記憶領域のアプリケーションデータを更新する。このとき、制御部１３は、ＳＩＭカード１１内の記憶領域に記憶しているエリアアクセス鍵と合致するエリアアクセス鍵とともにデータを受信した場合には、受信したデータに応じてアプリケーションデータを更新する。しかし、エリアアクセス鍵を受信していない場合にはアプリケーションデータを更新しない。
【００３２】
記憶装置１４は、携帯電話機１を制御するための携帯端末用プログラムを記憶するとともに、ダウンロードされたアプリケーションを記憶する記憶装置である。
【００３３】
ネットワークインタフェース部１５は、通信ネットワーク４０（図１参照）との通信板フェースである。ネットワークインタフェース部１５は、通信ネットワーク４０に設けられている無線基地局（図示せず。）との間で無線通信を行う。携帯電話機１が送信したデータは、無線基地局に受信され通信ネットワーク４０を介して宛先となる装置に送信される。また、他の装置から携帯電話機１に向けて送信されたデータは、通信ネットワーク４０を介して無線基地局に送られ、無線基地局から携帯電話機１に送信される。
【００３４】
制御部１３が、ダウンロードしたアプリケーションに従ってＳＰシステム３０と通信を行う場合、ＮＦＣチップ１２を介して通信を行っても、ネットワークインタフェース部１５および通信ネットワーク４０を介して通信を行ってもよい。
【００３５】
図４は、携帯端末管理システム２０の構成例を示すブロック図である。携帯端末管理システム２０は、制御部２１と、記憶装置２２と、ユーザマネジメントデータベース記憶部２３と、キーマネジメントデータベース記憶部２４と、ネットワークインタフェース部２５とを備える。
【００３６】
携帯端末管理システム２０の制御部２１は、記憶装置２２が備える携帯端末管理プログラムに従って、アプリケーションに固有のエリアアクセス鍵を作成し、ＳＰシステム３０に送信する。また、制御部２１は、携帯電話機１からの要求に応答して、携帯電話機１に、アプリケーション専用の記憶領域をＳＩＭカード１１内に確保させ、その記憶領域にエリアアクセス鍵を記憶させる。制御部２１は、例えばＣＰＵによって実現される。
【００３７】
記憶装置２２は、携帯端末管理システム２０を制御する携帯端末管理プログラムを記憶する記憶装置である。
【００３８】
ユーザマネジメントデータベース記憶部２３は、ユーザマネジメントデータベースを記憶する記憶装置である。ユーザマネジメントデータベースは、ＳＩＭカードに記憶領域を確保したアプリケーションがどのアプリケーションであるのかをＳＩＭカード毎にまとめたデータベースである。例えば、ＳＩＭカードに予め定められたＩＤと、そのＳＩＭカードに記憶領域を確保したアプリケーションの識別情報とを対応付けたデータベースである。以下、ＳＩＭカードに予め定められたＩＤとして、ＳＩＭカードに予め書き込まれている使用者ＩＤを用いる場合を例にして説明する。
【００３９】
キーマネジメントデータベース記憶部２４は、キーマネジメントデータベースを記憶する記憶装置である。キーマネジメントデータベースは、アプリケーションの識別情報と、そのアプリケーション用のエリアアクセス鍵と、アプリケーションのダウンロード先と、そのアプリケーション専用の記憶領域としてＳＩＭカードに確保すべき記憶容量とを対応付けたデータベースである。
【００４０】
携帯端末管理システム２０のネットワークインタフェース部２５は、通信ネットワーク４０（図１参照）とのインタフェースである。
【００４１】
図５は、ＳＰシステム３０の構成例を示すブロック図である。ＳＰシステム３０は、制御部３１と、記憶装置３２と、ネットワークインタフェース部３３とを備える。
【００４２】
ＳＰシステム３０の制御部３１は、記憶装置３２が記憶するＳＰシステム制御用プログラムに従って動作する。例えば、制御部３１は、ダウンロード要求されたアプリケーションを送信する。また、例えば、アプリケーションに対応するエリアアクセス鍵を受信した場合、そのエリアアクセス鍵を記憶装置３２に記憶させる。制御部３１は、例えばＣＰＵによって実現される。
【００４３】
記憶装置３２は、ＳＰシステム３０を制御するＳＰシステム制御用プログラムや、携帯電話機１にダウンロードされるアプリケーションを記憶する記憶装置である。また、記憶装置３２は、ＳＰシステム３０が携帯端末管理システム２０から受信したエリアアクセス鍵も記憶する。
【００４４】
ＳＰシステム３０のネットワークインタフェース部３３は、通信ネットワーク４０（図１参照）とのインタフェースである。
【００４５】
次に、動作について説明する。
まず、携帯端末管理システム２０がアプリケーションに対応するエリアアクセス鍵をＳＰシステム３０に提供する場合の動作について説明する。図６は、この場合の動作の例を示す流れ図である。
【００４６】
まず、ＳＰシステム３０の制御部３１は、サービス利用申請情報を携帯端末管理システム２０に送信する（ステップＳ１）。サービス利用申請情報とは、携帯端末管理システム２０に携帯電話機１から要求があった場合にＳＰシステム３０が提供するアプリケーション専用の記憶領域をＳＩＭカード１１に確保させることを求める情報である。サービス利用申請情報には、ＳＰシステム３０からダウンロードされるアプリケーションの識別情報、携帯電話機１がアプリケーションをダウンロードする場合のアプリケーションのダウンロード先、およびそのアプリケーション専用の記憶領域として確保すべき記憶容量を示す情報が含まれている。また、例えば、アプリケーションがどのようなサービスのためのソフトウェアであるのか等、アプリケーションやサービスプロバイダ自身に関する情報が含まれていてもよい。ＳＰシステム３０の制御部３１は、例えば、ＳＰシステム３０の管理者の操作に応じてサービス利用申請情報を携帯端末管理システム２０に送信する。なお、携帯電話機１にとってアプリケーションのダウンロード先はＳＰシステム３０であり、アプリケーションのダウンロード先には、例えばＳＰシステム３０のアドレスが含まれる。
【００４７】
携帯端末管理システム２０の制御部２１は、サービス利用申請情報を受信すると、ＳＰシステム３０からの申請に応じるか否かを審査する（ステップＳ２）。この審査の態様は特に限定されない。制御部２１は、例えば、サービス利用申請情報が所定の条件を満たしている場合に申請に応じると判断し、サービス利用申請情報が所定の条件を満たしていなければ申請に応じないと判断してもよい。また、例えば、携帯端末管理システム２０が備えるディスプレイ装置（図示せず。）にサービス利用申請情報を表示させて、申請に応じるか否かの決定を管理者に促してもよい。この場合、携帯端末管理システム２０の管理者から申請に応じる旨の情報が入力された場合に申請に応じると判断し、申請に応じない旨の情報が入力された場合に申請に応じないと判断してもよい。管理者は、表示されたサービス利用申請情報を見て、申請に応じるか否かを決めればよい。
【００４８】
携帯端末管理システム２０の制御部２１は、申請に応じないと判断した場合（換言すれば、ＳＰシステム３０からの申請に対して不許可と判断した場合）、サービス利用不可通知をＳＰシステム３０に送信する（ステップＳ３）。すなわち、「ＳＰシステム３０が提供するアプリケーションのためにＳＩＭカード１１に記憶領域を確保させる」というサービスプロバイダに対するサービスを行わない旨の通知をＳＰシステム３０に送信する
【００４９】
また、携帯端末管理システム２０の制御部２１は、申請に応じると判断した場合（換言すれば、ＳＰシステム３０からの申請に対して許可と判断した場合）、サービス利用許可通知をＳＰシステム３０に送信する（ステップＳ４）。すなわち、「ＳＰシステム３０が提供するアプリケーションのためにＳＩＭカード１１に記憶領域を確保させる」というサービスプロバイダに対するサービスを行う旨の通知をＳＰシステム３０に送信する。
【００５０】
また、ステップＳ４において、制御部２１は、サービス利用申請情報に含まれているアプリケーションの識別情報に一意のエリアアクセス鍵を作成し、作成したエリアアクセス鍵もＳＰシステム３０に送信する。
【００５１】
制御部２１は、例えば、アプリケーションの識別情報に対して一意に定められる文字列を作成し、その文字列をエリアアクセス鍵とすればよい。この文字列は、既に作成されている他のアプリケーションのエリアアクセス鍵（文字列）の何れとも一致しない文字列であればよい。また、このエリアアクセス鍵の作成動作は例示であり、エリアアクセス鍵の作成は上記の動作に限定されない。また、エリアアクセス鍵は、文字列以外のデータであってもよい。
【００５２】
制御部２１は、エリアアクセス鍵を作成すると、アプリケーションの識別情報と、エリアアクセス鍵と、アプリケーションのダウンロード先と、そのアプリケーション専用の記憶領域としてＳＩＭカードに確保すべき記憶容量とを対応付けて、キーマネジメントデータベースに登録する。
【００５３】
また、ＳＰシステム３０の制御部３１は、携帯端末管理システム２０が送信したエリアアクセス鍵を受信すると、そのエリアアクセス鍵を記憶装置３２（図５参照）に記憶させる。
【００５４】
また、図１では１台のＳＰシステム３０を図示しているが、複数のサービスプロバイダがそれぞれＳＰシステムを保有している場合もある。図７は、複数のＳＰシステムにエリアアクセス鍵を配布する状況を示す説明図である。図７では、２台のＳＰシステム３０ａ，３０ｂを例示している。各ＳＰシステム３０ａ，３０ｂの構成は、図５に例示する構成と同様である。携帯端末管理システム２０は、あるサービスプロバイダが管理するＳＰシステム３０ａからサービス利用申請情報を受信した場合、ステップＳ１以降の処理を行い、そのサービスプロバイダのアプリケーションに対して一意に定めたエリアアクセス鍵Ｋ１を送信する。また、他のサービスプロバイダが管理するＳＰシステム３０ｂからサービス利用申請情報を受信した場合にも、ステップＳ１以降の処理を行い、そのサービスプロバイダのアプリケーションに対して一意に定めたエリアアクセス鍵Ｋ２を送信する。
【００５５】
次に、ＳＩＭカード１１にアプリケーション専用の記憶領域を確保し、また、アプリケーションをダウンロードする場合の動作について説明する。図８は、この場合の動作の例を示す流れ図である。まず、携帯電話機１の制御部１３は、新たなアプリケーションの利用を求める旨のサービス利用要求情報を携帯端末管理システム２０に送信する（ステップＳ１１）。サービス利用要求情報には、携帯電話機１に装着されているＳＩＭカード１１全体の記憶容量、そのＳＩＭカード１１に予め書き込まれている使用者ＩＤ、および利用しようとしているアプリケーションの識別情報が含まれる。制御部１３は、例えば、携帯電話機１の使用者の操作に応じてサービス利用要求情報を送信する。ステップＳ１１でのサービス利用要求情報の送信態様は特に限定されない。例えば、電子メールやＳＭＳ（Short Message Service ）で送信してもよい。また、制御部１３が、情報の入力画面となるＷｅｂページを携帯端末管理システム２０から受信して表示し、そのＷｅｂページに入力されたサービス利用要求情報を送信してもよい。
【００５６】
携帯端末管理システム２０の制御部２１は、サービス利用要求情報を受信すると、ＳＩＭカード１１に、携帯電話機１が利用しようとするアプリケーション専用の記憶領域を確保可能な空き容量があるか否かを判定する（ステップＳ１２）。制御部２１は、例えば、ユーザマネジメントデータベースを参照して、サービス利用要求情報を送信した携帯電話機１のＳＩＭカード１１に既に記憶領域が確保されているアプリケーションの識別情報を検索する。具体的には、ステップＳ１１で受信した使用者ＩＤを検索キーとして、ユーザマネジメントデータベースからその使用者ＩＤに対応するアプリケーションの識別情報を全て検索する。そして、制御部２１は、そのアプリケーションの識別情報を検索キーとして、キーマネジメントデータベースから、アプリケーション専用の記憶領域としてＳＩＭカードに確保する記憶容量を検索する。この検索は、ユーザマネジメントデータベースから検索した個々のアプリケーションの識別情報毎に行う。キーマネジメントデータベースから検索した「記憶容量」の総和は、アプリケーション専用の記憶領域として既にＳＩＭカードに確保されている記憶領域の容量である。制御部２１は、ステップＳ１１で受信したＳＩＭカード１１全体の記憶容量から、キーマネジメントデータベースから検索した記憶容量の総和と、所定の記憶容量とを減算し、その減算結果が、利用しようとするアプリケーション専用の記憶領域の記憶容量以上であれば、確保可能な記憶領域があると判定する。また、その減算結果が、利用しようとするアプリケーション専用の記憶領域の記憶容量未満であれば、確保可能な記憶領域がないと判定する。なお、利用しようとするアプリケーション専用の記憶領域の記憶容量は、ステップＳ１１で受信したアプリケーションの識別情報を検索キーとしてキーマネジメントデータベースから検索すればよい。また、上記の減算における所定の記憶容量とは、アプリケーションデータ以外のデータ（例えば使用者ＩＤ等）のための記憶容量として予め定められた記憶容量である。以上の動作はステップＳ１２の動作の例示であり、空き容量の有無の判定は上記の動作に限定されない。
【００５７】
空き容量がＳＩＭカード１１にないとステップＳ１２で判定した場合、携帯端末管理システム２０の制御部２１は、その旨の通知を携帯電話機１に送信する（ステップＳ１３）。この送信態様も特に限定されず、例えば、電子メールやＳＭＳで送信してもよい。また、空き容量がない旨のメッセージを表示するＷｅｂページを送信してもよい。
【００５８】
空き容量がＳＩＭカード１１にあるとステップＳ１２で判定した場合、ＳＩＭカード１１にアプリケーション専用の記憶領域を確保する（ステップＳ１４）。具体的には、携帯端末管理システム２０の制御部２１は、ステップＳ１１で受信したアプリケーションの識別情報を検索キーとして、エリアアクセス鍵と、アプリケーションのダウンロード先と、確保すべき記憶容量とをキーマネジメントデータベースから検索する。そして、制御部２１は、検索した記憶容量の記憶領域をＳＩＭカード１１に確保してエリアアクセス鍵をその記憶領域に記憶する旨の命令とともに、キーマネジメントデータベースから検索したエリアアクセス鍵を携帯電話機１に送信する。携帯電話機１の制御部１３は、携帯端末管理システム２０からの命令に従って、指示された記憶容量の記憶領域をＳＩＭカード１１に確保し、携帯端末管理システム２０から受信したエリアアクセス鍵をその記憶領域に記憶させる。制御部２１は、記憶領域を確保すると、その旨を携帯端末管理システム２０に通知する。
【００５９】
携帯端末管理システム２０の制御部２１は、記憶領域が確保された旨の通知を受けると、アプリケーション専用の記憶領域の作成完了通知を、そのアプリケーションの識別情報とともに携帯電話機１に送信する（ステップＳ１５）。また、ステップＳ１５では、制御部２１は、キーマネジメントデータベースから検索したアプリケーションのダウンロード先も携帯電話機１に送信する（ステップＳ１５）。携帯電話機１の制御部１３は、受信したアプリケーションの識別情報およびダウンロード先を、そのアプリケーション用の記憶領域として確保した記憶領域に記憶させる。
【００６０】
続いて、携帯電話機１の制御部１３は、受信したダウンロード先の情報を用いて、アプリケーションのダウンロード要求を送信する（ステップＳ１６）。アプリケーションのダウンロード先にはＳＰシステム３０のアドレスが含まれているので、制御部１３は、ＳＰシステム３０に対してアプリケーションのダウンロード要求を送信する。ＳＰシステム３０の制御部３１はこのダウンロード要求を受信すると、要求されたアプリケーションを携帯電話機１に送信する（ステップＳ１７）。携帯電話機１の制御部１３はＳＰシステム３０からアプリケーションを受信すると、携帯電話機１が備える記憶装置１４にそのアプリケーションを記憶させる。
【００６１】
続いて、携帯電話機１の制御部１３は、受信したアプリケーションのユーザ登録要求をＳＰシステム３０に送信し（ステップＳ１８）、ＳＰシステム３０の制御部３１は、このユーザ登録要求に応じてユーザ登録を行う（ステップＳ１９）。ＳＰシステム３０の制御部３１は、ユーザ登録を完了すると、携帯電話機１にユーザ登録完了通知を送信する（ステップＳ２０）。
【００６２】
以上のステップＳ１１〜Ｓ２０における通信において、携帯電話機１はネットワークインタフェース部１５と、通信ネットワーク４０に含まれる無線基地局（図示せず。）を介して通信を行う。
【００６３】
以上の動作によって、ＳＩＭカード１１にアプリケーション専用の記憶領域が確保され、また、携帯電話機１がアプリケーションをダウンロードする。１台の携帯電話機がダウンロードするアプリケーションは１種類とは限らず、ダウンロードするアプリケーション毎に、各アプリケーション専用の記憶領域がＳＩＭカード１１に確保される。また、図１では１台の携帯電話機を図示しているが、携帯電話機は１台に限られるわけでない。各携帯電話機がそれぞれ携帯端末管理システム２０と通信を行ってステップＳ１１以降の処理を進めることで、各携帯電話機のＳＩＭカードにアプリケーション用の記憶領域が確保され、各携帯電話機にアプリケーションがダウンロードされる。図９は、複数の携帯電話機のＳＩＭカードにぞれぞれアプリケーション専用の記憶領域が確保された状況を示す説明図である。図９では、２台の携帯電話機１ａ，１ｂを例示している。携帯電話機１ａが、「サービスＡ」というアプリケーションの利用を求める旨のサービス利用要求情報を携帯端末管理システム２０に送信すると、ステップＳ１１以降の処理によって、携帯電話機１ａのＳＩＭカード１１に「サービスＡ」専用の記憶領域が確保され、また、携帯電話機１ａはアプリケーション「サービスＡ」をダウンロードする。携帯電話機１ａが、「サービスＢ」というアプリケーションの利用を求める旨のサービス利用要求情報を携帯端末管理システム２０に送信した場合も同様である。また、他の携帯電話機１ｂが、「サービスＡ」や「サービスＢ」の利用を求める旨のサービス利用要求情報を携帯端末管理システム２０に送信した場合も同様である。なお、図９では、各携帯電話機１ａ、１ｂがそれぞれ「サービスＡ」、「サービスＢ」を利用する場合を示したが、各携帯電話機が利用するアプリケーションは異なっていてもよい。
【００６４】
次に、ＳＩＭカード１１に確保されたアプリケーション専用の記憶領域を削除（解放）する場合の動作について説明する。ＳＩＭカード１１に確保されたアプリケーション専用の記憶領域を解放する場合、携帯電話機１の制御部１３は、アプリケーション専用の記憶領域の解放許可要求と、そのアプリケーションの識別情報と、ＳＩＭカードに予め書き込まれている使用者ＩＤとを携帯端末管理システム２０に送信する。制御部１３は、例えば携帯電話機１の使用者の操作に応じて、この送信動作を行う。
【００６５】
携帯端末管理システム２０の制御部２１は、これらの情報を受信すると、ユーザマネジメントデータベースの中から、受信した使用者ＩＤに対応するアプリケーションの識別情報のうち、受信したアプリケーションの識別情報と合致する識別情報を削除する。そして、制御部２１は、そのアプリケーションの識別情報を指定してアプリケーション専用の記憶領域の解放許可通知を携帯電話機１に送信する。
【００６６】
携帯電話機１の制御部１３は、携帯端末管理システム２０から解放許可通知を受信した後、指定されたアプリケーションの識別情報に対応するアプリケーション専用の記憶領域を解放する。
【００６７】
記憶領域を解放する際の通信においても、携帯電話機１は、ネットワークインタフェース部１５、無線基地局（図示せず。）を介して通信を行う。
【００６８】
次に、アプリケーションデータの更新動作について説明する。図１０は、ＳＩＭカード１１に格納されたアプリケーションデータの更新動作の例を示す流れ図である。携帯電話機１の使用者は、携帯電話機１がアプリケーションに従って処理を実行することでそのアプリケーションによるサービスを享受する。このとき、携帯電話機１は、ＳＰシステム３０と通信を行ってＳＩＭカード１１内のアプリケーションデータを更新する。また、このとき、携帯端末管理システム２０は、携帯電話機１とＳＰシステム３０との間のゲートウェイとして機能し、携帯電話機１とＳＰシステム３０との間でデータを中継する。
【００６９】
ここでは、携帯電話機１がＮＦＣチップ１２を介してデータを送受信し、アプリケーションデータのうち非接触ＩＣチップ用データ（非接触ＩＣチップによるデータ授受で更新されるデータ）の更新を行う場合を例にして説明する。また、リーダ／ライタ（図１において図示せず。）が通信回線を介して携帯端末管理システム２０に接続されていて、携帯電話機１がそのリーダ／ライタの近傍で使用される場合を例にして説明する。
【００７０】
携帯電話機１の制御部１３は、ダウンロードしたアプリケーションに従い、ＮＦＣチップ１２を介して非接触ＩＣチップ用データの書き換え要求をリーダ／ライタ（図１において図示せず。）に送信する（ステップＳ３１）。非接触ＩＣチップ用データの書き換え要求の一例として、例えば、電子マネーのチャージ要求等が挙げられる。リーダ／ライタは携帯電話機１からの非接触ＩＣチップ用データの書き換え要求を、ＳＰシステム３０に送信する。このとき、携帯端末管理システム２０は、携帯電話機１とＳＰシステム３０との間のゲートウェイとして機能する。
【００７１】
ＳＰシステム３０の制御部３１は、携帯電話機１からの非接触ＩＣチップ用データの書き換え要求に応じて、非接触ＩＣチップ用データの書き換え命令を携帯電話機１に送信する（ステップＳ３２）。このとき、制御部３１は、書き換え対象のデータを使用するアプリケーションのエリアアクセス鍵を記憶装置３２から読み出し、非接触ＩＣチップ用データの書き換え命令とともにエリアアクセス鍵も携帯電話機１に送信する。携帯電話機１の制御部１３は、リーダ／ライタ（図示せず）およびＮＦＣチップ１２を介して、非接触ＩＣチップ用データの書き換え命令とエリアアクセス鍵を受信する。このとき、携帯端末管理システム２０は、携帯電話機１とＳＰシステム３０との間のゲートウェイとして機能する。
【００７２】
携帯電話機１の制御部１３は、非接触ＩＣチップ用データの書き換え命令とエリアアクセス鍵を受信すると、実行中のアプリケーション専用の記憶領域に記憶しているエリアアクセス鍵と、受信したエリアアクセス鍵とが一致しているか否かを判定する。一致しているならば、制御部１３は、非接触ＩＣチップ用データの書き換え命令に従って、ＳＩＭカード１１に確保されているそのアプリケーション専用の記憶領域に記憶しているアプリケーションデータを書き換える。一方、アプリケーション専用の記憶領域に記憶しているエリアアクセス鍵と、受信したエリアアクセス鍵とが一致していない場合、制御部１３は、アプリケーションデータの書き換えを行わない。
【００７３】
以上の動作により、例えば、電子マネーデータ等の各種アプリケーションデータを更新することができる。
【００７４】
また、上記の例では、アプリケーションデータの更新時に携帯電話機１がＮＦＣチップを介してデータを授受する場合を例示したが、エアネットワーク機能により通信を行ってＳＩＭカード１１におけるアプリケーションデータを更新してもよい。すなわち、携帯電話機１の制御部１３は、ダウンロードしたアプリケーションに従い、ネットワークインタフェース部１５、無線基地局（図示せず）、通信ネットワーク４０を介して、アプリケーションデータの書き換え要求をＳＰサーバ３０に送信してもよい。そして、ＳＰシステム３０の制御部３１は、携帯電話機１からのアプリケーションデータの書き換え要求に応じて、アプリケーションデータの書き換え命令とエリアアクセス鍵を携帯電話機１に送信する。携帯電話機１の制御部１３は、通信ネットワーク４０、無線基地局（図示せず）、ネットワークインタフェース部１５を介してアプリケーションデータの書き換え命令および襟アクセス鍵を受信する。アプリケーションデータの書き換え命令およびエリアアクセス鍵を受信した後、上述の場合と同様に、記憶しているエリアアクセス鍵と受信したエリアアクセス鍵が一致しているか否かを判定し、一致していればアプリケーションデータを書き換える。以上の動作の場合においても、携帯端末管理システム２０は、携帯電話機１とＳＰシステム３０との間のゲートウェイとして機能する。
【００７５】
また、以上の説明ではステップＳ３１，Ｓ３２において、携帯端末管理システム２０がゲートウェイとなる場合を示したが、ステップＳ３１，Ｓ３２において、携帯端末管理システム２０を介さずに携帯電話機１とＳＰシステム３０とが通信を行ってもよい。
【００７６】
また、ＳＰシステム３０がエリアアクセス鍵を暗号化して送信し、携帯電話機１が受信したエリアアクセス鍵を復号してもよい。
【００７７】
次に、携帯電話機の使用者が携帯電話機を交換して、新たに使用する携帯電話機にＳＩＭカード１１を移し替えた場合の動作について説明する。図１１は、新たに使用する携帯電話機にＳＩＭカード１１を移し替えるときの状況を示す説明図である。図１１に示す携帯電話機１ｃは、新たに使用される携帯電話機である。携帯電話機１に装着されていたＳＩＭカード１１は、携帯電話機１から取り外され、新たな携帯電話機１ｃに装着される。また、新たな携帯電話機１ｃの構成は、図３に示す構成と同様である。
【００７８】
ＳＩＭカード１１には、アプリケーション専用の記憶領域５１，５２が既に確保されている。しかし、そのＳＩＭカード１１が装着された携帯電話機１ｃは、アプリケーションをダウンロードしていない。新たな携帯電話機１ｃの制御部１３は、ＳＩＭカードに確保されている記憶領域に記憶されたアプリケーションの識別情報が表すアプリケーションをダウンロードする。例えば、制御部１３は、装着されたＳＩＭカード１１に確保された記憶領域（例えば図１１に示す記憶領域５１）に記憶されているアプリケーションのダウンロード先を読み取り、ネットワークインタフェース部１５を介して、そのダウンロード先にアプリケーションのダウンロード要求を送信する。ここでは図１に示すＳＰシステム３０がダウンロード先である場合を例にする。ＳＰシステム３０の制御部３１は、新たな携帯電話機１ｃからアプリケーションのダウンロード要求を受信すると、要求されたアプリケーションを携帯端末１ｃに送信する。携帯電話機１ｃの制御部１３は、ネットワークインタフェース部１５を介してアプリケーションを受信し、記憶装置１４に記憶させる。
【００７９】
上記の携帯端末１ｃとＳＰシステム３０との間の通信は、ＤＭ（Device Management ）プロトコルによって行う。すなわち、携帯電話機１ｃの制御部１３は、ＤＭプロトコルに従ってアプリケーションのダウンロード要求を送信する。また、ＳＰシステム３０は、要求されたアプリケーションを、ＤＭプロトコルに従って携帯電話機１に送信する。
【００８０】
ＤＭプロトコルは、ＯＭＡ（Open Mobile Alliance）という標準化団体で規定されているｈｔｍｌベースのプロトコルである。
【００８１】
ＤＭプロトコルに従って、携帯端末１ｃがダウンロード要求を送信し、ＳＰシステム３０がアプリケーションを送信することによって、通信データ量を少なく抑えることができる。また、ＤＭプロトコルには、機能拡張性に富むという利点がある。
【００８２】
以上の説明では、携帯端末管理システム２０が携帯電話機１にアプリケーションのダウンロード先を送信し、携帯電話機１がそのダウンロード先をＳＩＭカード１１に記憶させ、ＳＩＭカード１１が移し替えられたときに、新たな携帯電話機１ｃはそのダウンロード先を読み込んでアプリケーションをダウンロードする場合を例にして示した。ＳＩＭカード１１にダウンロード先が記憶されていなくても新たな携帯電話機１ｃがダウンロード先を判定可能な実施例においては、ＳＩＭカード１１にアプリケーションのダウンロード先を記憶させておかなくてもよい。
【００８３】
本発明によれば、携帯端末が、ダウンロードしたアプリケーションに従って動作する場合、そのアプリケーションで使用するデータをＳＩＭカード１１に記憶させる。そして、アプリケーションに従って動作する場合において、非接触ＩＣチップ１２（上記の例ではＮＦＣチップ１２）を介して受信したデータを記憶させるときにもＳＩＭカード１１に記憶させる。従って、携帯端末の使用者がアプリケーションと非接触ＩＣチップを用いてサービスを受ける場合に使用するデータをＳＩＭカード１１に保存することができる。そして、このようなデータは、電子マネー等、使用者の財産となる非常に重要なデータであることが多い。本発明では、ダウンロードしたアプリケーションと非接触ＩＣチップを用いてサービスを受ける場合に使用するデータをＳＩＭカード１１に記憶させるので、携帯端末の交換時においてもＳＩＭカード１１を新しい携帯端末に移し替えることで、アプリケーションと非接触ＩＣチップを用いてサービスを受ける場合に使用する重要なデータを、確実に新しい携帯端末で使用することができる。このように、本発明では、非接触ＩＣチップを用いてサービスを受ける場合に使用するデータを適切に保存することができる。
【００８４】
また、本発明では、アプリケーション専用の記憶領域にエリアアクセス鍵を記憶させ、ＳＰシステム３０がそのエリアアクセス鍵に合致するエリアアクセス鍵とともにデータを送信した場合に、その記憶領域のデータの更新を行う。従って、各サービスプロバイダは、自社が提供するアプリケーションが使用するデータを、他のサービスプロバイダのＳＰシステムによってアクセスされることを防止することができ、ＳＩＭカード１１に記憶されているアプリケーションデータのセキュリティを高めることができる。
【００８５】
また、携帯電話機１は、ネットワークインタフェース部１１および無線基地局（図示せず）を含む通信ネットワーク４０を介して携帯端末管理システム２０にサービス利用要求情報を送信し、携帯端末管理システム２０は、新たに利用されるアプリケーションの識別情報をＳＩＭカード毎にユーザマネジメントデータベースに登録する。そして、携帯端末管理システム２０が、記憶領域をＳＩＭカード１１に確保する旨の命令を、無線基地局（図示せず）を含む通信ネットワーク４０を介して、境内電話機１に送信する。また、携帯端末管理システム２０は、無線基地局（図示せず）を含む通信ネットワーク４０を介して、ＳＩＭカード１１内のアプリケーション専用の記憶領域の解放許可要求を受信した場合、そのＳＩＭカード１１に対応するアプリケーションの識別情報のうち、解放を要求された識別情報をユーザマネジメントデータベースから削除する。そして、無線基地局（図示せず）を含む通信ネットワーク４０を介して、携帯電話機１にアプリケーション専用の記憶領域の解放許可通知を送信する。従って、通信経路上に無線通信経路を含んだ通信によって、自由にアプリケーション専用の記憶領域の追加や削除を行うことができる。換言すれば、携帯電話機のエアネットワーク機能により自由にアプリケーション専用の記憶領域の追加や削除を行える。
【００８６】
また、携帯電話機１とＳＰシステム３０とは、無線基地局（図示せず）を含む通信ネットワーク４０を介して通信可能である。従って、非接触ＩＣチップを用いなくても、ＳＰシステム３０との間で通信を行い、アプリケーションデータを更新することができる。すなわち、携帯電話機１の使用者は、非接触ＩＣチップを用いなくても、携帯電話機１のエアネットワーク機能によりサービスを享受することができる。
【００８７】
上記の実施例において、アプリケーション記憶手段は、携帯端末１の記憶装置１４によって実現される。データ書き込み手段は、携帯端末１の制御部１３によって実現される。
【００８８】
また、上記の実施例には、アプリケーションソフトウェアの識別情報が記憶されたＳＩＭカードが装着されたときに、前記識別情報が表すアプリケーションソフトウェアを、当該アプリケーションソフトウェアを提供する装置に要求し、当該装置から前記アプリケーションソフトウェアを受信することによってアプリケーションをダウンロードするダウンロード手段を備え、ダウンロード手段が、ＤＭプロトコルに従って、前記装置にアプリケーションソフトウェアを要求し、前記装置からアプリケーションソフトウェアを受信する構成が示されている。上記の実施例において、ダウンロード手段は、携帯端末１の制御部１３によって実現される。
【００８９】
また、上記の実施例には、無線基地局を含む通信ネットワークに接続された携帯端末管理システムに対して、新たなアプリケーションソフトウェアの利用を求める旨の情報であるサービス利用要求情報を送信するサービス利用要求手段と、携帯端末管理システムから前記アプリケーションソフトウェアの専用の記憶領域をＳＩＭカードに確保する旨の命令を受信したときに、当該命令に従って前記アプリケーションソフトウェアの専用の記憶領域をＳＩＭカードに確保する記憶領域確保手段とを備え、サービス利用要求手段が、前記無線基地局を介して、携帯端末管理システムにサービス利用要求情報を送信し、記憶領域確保手段が、前記無線基地局を介して、携帯端末管理システムから前記命令を受信する構成が示されている。上記の実施例において、サービス利用要求手段および記憶領域確保手段は、携帯端末１の制御部１３によって実現される。
【００９０】
また、上記の実施例には、携帯端末管理システムに対して、アプリケーションソフトウェアの専用の記憶領域の解放要求を送信する記憶領域解放要求手段と、携帯端末管理システムから、前記記憶領域の解放許可を受信したときに、前記記憶領域を解放する記憶領域解放手段とを備え、記憶領域解放要求手段が、無線基地局を介して、携帯端末管理システムに前記記憶領域の解放要求を送信し、記憶領域解放手段が、無線基地局を介して、携帯端末管理システムから前記解放許可を受信する構成が示されている。上記の実施例において、記憶領域解放要求手段および記憶領域解放手段は、携帯端末１の制御部１３によって実現される。
【００９１】
また、上記の実施例には、記憶領域確保手段が、携帯端末管理システムから、アプリケーションソフトウェア毎に一意に定められた認証データを受信し、アプリケーションソフトウェアの専用の記憶領域に当該アプリケーションソフトウェアに定められた認証データを記憶させ、データ書き込み手段が、非接触ＩＣチップを介して、一のアプリケーションソフトウェアに対応する記憶領域のデータ書き換え命令を受信した場合、データ書き換え命令とともに、前記記憶領域に記憶されている認証データに合致する認証データを受信したならば前記データ書き換え命令に従ってデータを書き換え、データ書き換え命令とともに、前記記憶領域に記憶されている認証データに合致する認証データを受信していないならばデータの書き換えを行わない構成が示されている。
【００９２】
また、上記の実施例には、無線基地局を介して一のアプリケーションソフトウェアに対応する記憶領域のデータ書き換え命令を受信する無線通信手段を備え、データ書き込み手段は、無線通信手段を介して、一のアプリケーションソフトウェアに対応する記憶領域のデータ書き換え命令を受信した場合、データ書き換え命令とともに、前記記憶領域に記憶されている認証データに合致する認証データを受信したならば前記データ書き換え命令に従ってデータを書き換え、データ書き換え命令とともに、前記記憶領域に記憶されている認証データに合致する認証データを受信していないならばデータの書き換えを行わない構成が示されている。上記の実施例において、無線通信手段は、携帯端末１のネットワークインタフェース部１５によって実現されている。
【００９３】
また、上記の実施例において、ユーザマネジメントデータベース記憶手段は、携帯端末管理システム２０のユーザマネジメントデータベース記憶部２３によって実現される。ユーザマネジメントデータベース管理手段および確保命令送信手段は、携帯端末管理システム２０の制御部２１によって実現されている。
【００９４】
また、上記の実施例には、携帯端末から、ＳＩＭカードに確保しているアプリケーションソフトウェアの専用の記憶領域の解放要求を受信した場合に、前記記憶領域の解放許可を前記携帯端末に送信する解放許可送信手段を備え、ユーザマネジメントデータベース管理手段は、携帯端末から、ＳＩＭカードに確保しているアプリケーションソフトウェアの専用の記憶領域の解放要求を受信すると、前記ＳＩＭカードに定められたＩＤに対応付けられた前記アプリケーションソフトウェアの識別情報をユーザマネジメントデータベースから削除する構成が示されている。上記の実施例において、解放許可送信手段は、携帯端末管理システム２０の制御部２１によって実現されている。
【００９５】
また、上記の実施例には、携帯端末にアプリケーションソフトウェアを提供するアプリケーション提供装置に対して、アプリケーション提供装置が提供するアプリケーションに固有の認証データを作成して送信する認証データ作成手段を備え、確保命令送信手段は、アプリケーションソフトウェアの専用の記憶領域をＳＩＭカードに確保する旨の命令とともに、前記アプリケーションソフトウェアに固有の認証データを送信する構成が示されている。上記の実施例において、認証データ作成手段は、携帯端末管理システム２０の制御部２１によって実現されている。
【００９６】
また、上記の実施例には、アプリケーションソフトウェアの識別情報と、当該アプリケーションソフトウェアの専用の記憶領域として確保すべき記憶容量とを対応付けたデータベースである領域管理データベースを記憶する領域管理データベース記憶手段を備え、携帯端末から、ＳＩＭカードに定められたＩＤと、新たなアプリケーションソフトウェアの利用を求める旨の情報であるサービス利用要求情報を受信した場合に、ユーザマネジメントデータベースおよび領域管理データベースを参照して、ＳＩＭカードに空き容量があるか否かを判定する空き容量判定手段を備え、ユーザマネジメントデータベース管理手段は、空き容量があると判定された場合に、ＳＩＭカードに定められたＩＤと、前記新たなアプリケーションソフトウェアの識別情報とを対応付けてユーザマネジメントデータベースに登録し、確保命令送信手段は、空き容量があると判定された場合に、前記新たなアプリケーションソフトウェアの専用の記憶領域をＳＩＭカードに確保する旨の命令を携帯端末に送信する構成が示されている。上記の実施例において、領域管理データベース記憶手段は、キーマネジメントデータベース記憶部２４によって実現されている。空き容量判定手段は、携帯端末管理システム２０の制御部２１によって実現されている。
【００９７】
また、上記の実施例には、携帯端末管理システムが、  携帯端末に対してアプリケーションソフトウェアが使用するデータのデータ書き換え命令を送信する装置と、携帯端末との間でゲートウェイとして用いられる場合が示されている。
【産業上の利用可能性】
【００９８】
本発明は、携帯端末に装着されたＳＩＭカードの管理に好適に適用される。
【図面の簡単な説明】
【００９９】
【図１】本発明の携帯端末や携帯端末管理システムが通信ネットワークを介して接続されている状態を示す説明図である。
【図２】ＳＩＭカードが記憶するデータの例を示す説明図である。
【図３】本発明の携帯端末の構成例を示すブロック図である。
【図４】携帯端末管理システムの構成例を示すブロック図である。
【図５】ＳＰシステム（サービスプロバイダシステム）の構成例を示すブロック図である。
【図６】携帯端末管理システムがエリアアクセス鍵をＳＰシステムに提供する場合の動作の例を示す流れ図である。
【図７】複数のＳＰシステムにエリアアクセス鍵を配布する状況を示す説明図である。
【図８】ＳＩＭカードにアプリケーション専用の記憶領域を確保し、アプリケーションをダウンロードする場合の動作の例を示す流れ図である。
【図９】複数の携帯電話機のＳＩＭカードにぞれぞれアプリケーション専用の記憶領域が確保された状況を示す説明図である。
【図１０】ＳＩＭカードに格納されたアプリケーションデータの更新動作の例を示す流れ図である。
【図１１】新たに使用する携帯電話機にＳＩＭカードを移し替えるときの状況を示す説明図である。
【符号の説明】
【０１００】
１  携帯電話機（携帯端末）
１１  ＳＩＭカード
１２  ＮＦＣチップ（非接触ＩＣチップ）
１３  制御部
１４  記憶装置
１５  ネットワークインタフェース部
２０  携帯端末管理システム
２１  制御部
２２  記憶装置
２３  ユーザマネジメントデータベース記憶部
２４  キーマネジメントデータベース記憶部
２５  ネットワークインタフェース部
２０  サービスプロバイダシステム
【図１】
2008294976.tif 000003
【図２】
2008294976.tif 000004
【図３】
2008294976.tif 000005
【図４】
2008294976.tif 000006
【図５】
2008294976.tif 000007
【図６】
2008294976.tif 000008
【図７】
2008294976.tif 000009
【図８】
2008294976.tif 000010
【図９】
2008294976.tif 000011
【図１０】
2008294976.tif 000012
【図１１】
2008294976.tif 000013